(57)【特許請求の範囲】
【請求項１】
情報表示板の表示面が少なくとも３つ以上の表示段で構成され、かつ各表示段毎に異なる情報を表示するようにした情報表示装置において、
優先度の高い１つの表示データと優先度の低い複数の表示データを前記表示段で表示すると共に故障の発生した表示段の優先度を判定し、故障の発生した表示段が優先度の低い表示を行う表示段である場合には、当該故障した表示段の表示データを故障していない優先度の低い表示を行う他の表示段に転送し、当該故障していない表示段の表示データと、転送されてきた故障表示段の表示データとを交互に表示すると共に優先度の高い表示段で表示データを連続して表示するようにしたことを特徴とする情報表示装置における故障検知時の表示方法。
【請求項２】
情報表示板の表示面が少なくとも３つ以上の表示段で構成され、かつ各表示段毎に異なる情報を表示するようにした情報表示装置において、
優先度の高い１つの表示データと優先度の低い複数の表示データを前記表示段で表示すると共に故障の発生した表示段の優先度を判定し、故障の発生した表示段が優先度の高い表示を行う表示段である場合には、優先度の高い表示段の表示データを優先度の低い表示段の表示位置にシフトし、優先度の高い表示を連続して表示するとともに、前記優先度の低い表示段の表示データを故障していない他の表示段に転送し故障していない表示段の表示データと交互に表示するようにしたことを特徴とする情報表示装置における故障検知時の表示方法。
【発明の詳細な説明】
【０００１】
【発明の属する技術分野】
本発明は、情報表示板の表示面が多段構成された情報表示装置において、該多段構成の１つの表示段が故障した場合に、正常な表示段を使用して表示内容を交互に表示するようにした故障検知時の表示方法に関する。
【０００２】
【従来の技術】
例えば、ドライバーなどに道路情報を提供する道路情報表示装置には、情報表示板の表示面が図９（ａ）に示すように多段構成（図示例では上下二段構成）され、段単位で情報を表示するようにしたものがある。このような形式の情報表示装置の中には、情報表示板を構成する何れかの段に含まれるＬＥＤなどからなる表示ユニットの何れかが故障し、その表示ユニットを含む横１行分の表示ユニットが表示不能となった場合には、誤認を防止するため図９（ｂ）に示すように全ての表示内容を消すようになっていた。
【０００３】
【発明が解決しようとする課題】
このため、表示ユニットの故障が発生した場合、通行止情報のような緊急情報が提供できないといった道路管理上の問題があった。また、故障が発生した場合に昼夜を問わず可能な限り迅速に修理を行なわねばならず、２４時間常に保守要員を待機させておく必要があった。
【０００４】
本発明は、上記問題を解決するためになされたもので、情報表示板の表示ユニットに故障が発生しても、故障した表示段の表示データを故障していない他の表示段に転送して交互に表示し、故障発生中においても全ての情報を中断することなく継続して表示できるようにした情報表示装置における故障検知時の表示方法を提供することを目的とする。
【０００６】
【課題を解決するための手段】
上記目的を達成するため、本発明の情報表示装置における故障検知時の表示方法は、情報表示板の表示面が少なくとも３つ以上の表示段で構成され、かつ各表示段毎に異なる情報を表示するようにした情報表示装置において、優先度の高い１つの表示データと優先度の低い複数の表示データを前記表示段で表示すると共に故障の発生した表示段の優先度を判定し、故障の発生した表示段が優先度の低い表示を行う表示段である場合には、当該故障した表示段の表示データを故障していない優先度の低い表示を行う他の表示段に転送し、当該故障していない表示段の表示データと、転送されてきた故障表示段の表示データとを交互に表示すると共に優先度の高い表示段で表示データを連続して表示するようにしたことを特徴とするものである。
【０００７】
また、情報表示板の表示面が少なくとも３つ以上の表示段で構成され、かつ各表示段毎に異なる情報を表示するようにした情報表示装置において、優先度の高い１つの表示データと優先度の低い複数の表示データを前記表示段で表示すると共に故障の発生した表示段の優先度を判定し、故障の発生した表示段が優先度の高い表示を行う表示段である場合には、優先度の高い表示段の表示データを優先度の低い表示段の表示位置にシフトし、優先度の高い表示を連続して表示するとともに、前記優先度の低い表示段の表示データを故障していない他の表示段に転送し故障していない表示段の表示データと交互に表示するようにしたことを特徴とするものである。
【０００８】
このような構成とした場合、ある表示段の表示ユニットに故障が発生しても、故障した表示段の表示内容を故障していない他の表示段に転送して交互に表示し故障発生中においても全ての情報を中断することなく継続して表示することができる。
【０００９】
また、優先度の高い項目を故障していない表示段において連続表示することにより、事故に際しドライバーが対応するに必要とされる情報を確実に提供することができる。
【００１０】
【発明の実施の形態】
以下、本発明の実施の形態について図面を参照して説明する。
図１は、本発明方法を適用して構成した情報表示装置の一実施の形態を示すもので、情報表示板が上下の二段構成からなる場合の一例を示すものである。
【００１１】
図において、１はＬＥＤからなる表示ユニット（以下、単にユニットと呼ぶ）２を縦横に並べて２段の表示段によって構成された情報表示板、３は各ＬＥＤユニット２毎に配置され各々が直列接続された表示データラッチ用のシフトレジスタ、４は図示しない中央装置との間で情報の送受信を行なうとともに、内蔵した制御プログラムに従って各段のＬＥＤユニット２を点灯制御する制御部である。
【００１２】
次に、上記実施の形態に係る情報表示装置の動作を、図２のフローチャート並びに図３および図４の故障表示例を参照しながら説明する。なお、情報表示板１に表示される表示データは、例えば、高速道路のインターチェンジ出口手前の情報板で事故の際に表示される「ここで出よ」「事故通行止」とし、図３（ａ）のように表示されるものとする。
【００１３】
さて、図示しない中央装置から前記「ここで出よ」「事故通行止」の表示データが送られてくると、該表示データは制御部４内の図示しないメモリに格納される。そして、制御部４は、この送られてきた表示データを、例えば１６Ｘ１６素子のＬＥＤから構成されるＬＥＤユニットを単位として、それらのＬＥＤユニットを直列接続した表示データの送信順序に表示データの配列を変換して記憶する（ＳＴ１）。
【００１４】
なお、各段を構成するＬＥＤユニットの数は表示しようとする文字等の大きさによって変化するが、その制御は同一であるため、図１のように各段上下に１つずつの表示ユニットによって説明する。
【００１５】
次に、制御部４は、この変換された上段側の表示データ「ここで出よ」を上段側のＬＥＤユニットに向けて送出する（ＳＴ２）。この表示データは上段側の各ＬＥＤユニット２のシフトレジスタ３に順次シフトされながら送られ、当該表示データの対応する位置の各ＬＥＤユニットのシフトレジスタ３に順次ラッチ（記憶）される。
【００１６】
そして、上段側のシフトレジスタ３に送られた表示データは、上段側の最終端のシフトレジスタ３から監視用データとして制御部４に返送される。
【００１７】
制御部４は、この返送されてきた監視用データと、上段側のＬＥＤユニット２に向けて送り出された表示データとを比較照合することにより、上段側のＬＥＤユニット２に故障が発生していないか否かを判定する（ＳＴ３）。
【００１８】
そして、上段側のＬＥＤユニット２に故障が発生していない場合（ＳＴ３のＹ側）には、ＳＴ４に移行する（なお、故障があった場合（ＳＴ３のＮ側）については後述する）。
【００１９】
処理がＳＴ４に移行すると、上段側のＬＥＤユニット２には、前述した上段側の表示データ「ここで出よ」が図３（ａ）のように正常に表示される。
【００２０】
次に、制御部４は、表示可能な表示段を記憶するとともに下段側のＬＥＤユニット２についての送信順に配列が変換された表示データ「事故通行止」を下段側のＬＥＤユニット２に向けて送出する（ＳＴ５）。
【００２１】
この表示データは下段側の各ＬＥＤユニット２のシフトレジスタ３に順次シフトされながら送られ、表示データが対応する位置のシフトレジスタ３に順次ラッチされる。
【００２２】
下段側のシフトレジスタ３に送られた表示データは、下段側の最終端のシフトレジスタ３から監視用データとして制御部４に返送される。
【００２３】
制御部４は、この返送されてきた監視用データと、下段側のＬＥＤユニット２に向けて送り出された表示データとを比較照合することにより、下段側のＬＥＤユニット２に故障が発生していないか否かを判定する（ＳＴ６）。
【００２４】
下段側のＬＥＤユニット２に故障が発生していない場合（ＳＴ６のＹ側）には、ＳＴ７に移行し、下段側のＬＥＤユニット２には、前述した下段側の表示データ「事故通行止」が図３（ａ）のように正常に表示される。
【００２５】
一方、ＳＴ６において、下段側のＬＥＤユニット２に故障が発生していると判定された場合（ＳＴ６のＮ側）には、ＬＥＤユニットの故障を通知し（ＳＴ８）、ＳＴ９に移行する。
【００２６】
下段側のＬＥＤユニット２に故障が発生していると判定された場合、制御部４は、故障が発生している下段側についての表示データ「事故通行止」を上段側のＬＥＤユニット２に送出し（ＳＴ９）、図３（ｂ）のように上段側のＬＥＤユニット２に表示されている上段側の表示データ「ここで出よ」に代わって、下段側の表示データ「事故通行止」を表示する（ＳＴ１０）。
【００２７】
そして、下段側の表示データ「事故通行止」の表示を一定時間行なった後（ＳＴ１１）、制御部４から再び上段側についての表示データ「ここで出よ」を上段側のＬＥＤユニット２に送出し（ＳＴ１２）、それまで表示されていた下段側の表示データ「事故通行止」に代わって、上段側の表示データ「ここで出よ」を上段側のＬＥＤユニット２に表示する（ＳＴ１３）。
【００２８】
この上段側の表示データ「ここで出よ」の表示を一定時間行なった後（ＳＴ１４）、再びＳＴ９に戻り、制御部４から再び下段側についての表示データ「事故通行止」を上段側のＬＥＤユニット２に送出し、それまで表示されていた上段側の表示データ「ここで出よ」に代わって、下段側の表示データ「事故通行止」を一定時間表示する（ＳＴ１０）。
【００２９】
以後、この「ここで出よ」と「事故通行止」の表示を一定時間毎に交互に繰り返す（ＳＴ９〜ＳＴ１４）。
【００３０】
この結果、図３（ａ）に示すように下段側のＬＥＤユニット２に故障が発生した場合、図３（ｂ）に示すように、故障していない上段側のＬＥＤユニット２に、上段側の表示データ「ここで出よ」と、下段側の表示データ「事故通行止」が中断することなく交互に表示される。
【００３１】
一方、ＳＴ３において、上段側のＬＥＤユニット２に故障が発生していると判定された場合（ＳＴ３のＮ側）、ＬＥＤユニットの故障を通知し（ＳＴ１５）、ＳＴ１６に移行する。
【００３２】
処理がＳＴ１６に移行すると、制御部４は、故障の発生している上段側の表示データ「ここで出よ」を下段側のＬＥＤユニット２に送出する。
【００３３】
この表示データは下段側の各ＬＥＤユニット２のシフトレジスタ３に順次シフトされながら送られ、表示データが対応する位置のシフトレジスタ３に順次ラッチされる。
【００３４】
下段側のシフトレジスタ３に送られた表示データは、下段側の最終端のシフ
トレジスタ３から監視用データとして制御部４に返送される。
【００３５】
制御部４は、この返送されてきた監視用データと、下段側のＬＥＤユニット２に向けて送り出した表示データとを比較照合することにより、下段側のＬＥＤユニット２に故障が発生していないか否かを判定する（ＳＴ１７）。
【００３６】
下段側のＬＥＤユニット２に故障があった場合（ＳＴ１７のＮ側）は、情報の表示は不可能であるので処理はＳＴ１８に移行し、情報表示装置が表示不能になったことを所定の方法で発信した後、処理を終了する。この警告を受信することによって初めて、管理者は情報表示装置の緊急の修理手配を行なう。
【００３７】
一方、下段側のＬＥＤユニット２の何れにも故障がなかった場合（ＳＴ１７のＹ側）は、処理はＳＴ１９に移行し、下段側のＬＥＤユニット２に、前述した上段側の表示データ「ここで出よ」が表示される。
【００３８】
そして、上段側の表示データ「ここで出よ」の表示を一定時間行なった後（ＳＴ２０）、制御部４から下段側の表示データ「事故通行止」を下段側のＬＥＤユニット２に送出し（ＳＴ２１）、それまで表示されていた上段側の表示データ「ここで出よ」に代えて、下段側の表示データ「事故通行止」を下段側のＬＥＤユニット２に表示する（ＳＴ２２）。
【００３９】
この下段側の表示データ「事故通行止」の表示を一定時間行なった後（ＳＴ２３）、再びＳＴ１９に戻り、制御部４から再び上段側についての表示データ「事故通行止」を下段側のＬＥＤユニット２に送出し、それまで表示されていた下段側の表示データ「事故通行止」に代わって、上段側の表示データ「ここで出よ」を一定時間表示する（ＳＴ１９）。
【００４０】
以後、この「ここで出よ」と「事故通行止」の表示を一定時間毎に交互に繰り返す（ＳＴ１９〜ＳＴ２３）。
【００４１】
この結果、図４（ａ）に示すように情報表示板１の上段側の表示ユニットに故障が発生した場合、図４（ｂ）に示すように、故障していない下段側に上段側の表示データ「ここで出よ」と、下段側の表示データ「事故通行止」が交互に表示される。
【００４２】
このようにして、情報表示板の表示ユニットに故障が発生しても、故障した表示段の表示内容を故障していない上下何れかの他の表示段に転送して交互に表示し、故障発生中においても全ての情報を中断することなく継続して表示することができる。
【００４３】
なお、上記実施の形態では、説明を簡単とするために、上下二段の表示形式とした場合を例に上げて説明したが、本発明は、上下二段の表示形式だけに限られるものではなく、それ以上の多段表示の場合にも適用できるものである。
そして、故障した表示段の他に複数の表示段が使用可能な場合には、以下に説明する別の実施形態が利用される。
【００４４】
例えば、図５に示すように３段の表示段を持ち、それぞれの表示段で「場所」の項目（例えば、「この先」）、「状況」の項目（例えば、「崖崩れ」）、「規制」の項目（例えば、「通行止」）を表示する場合には、ドライバーに下段の「通行止」を確実に伝えることが重要であり、優先度が高い下段の項目が連続して表示される制御を実行する。
【００４５】
ここで、上記の制御方法について図１と図６，７のフローチャートおよび図８に示す表示例を用いて説明する。なお、情報表示装置の構成は、情報表示板１の表示段が３段になる以外、図１に同じである。
初めに、前記実施例と同様に図示しない中央装置から送信された表示データ（例えば「この先  崖崩れ  通行止」）を、図１の制御部４の図示しないメモリに記憶する（ＳＴ１０１）。次に、入力した表示データの配列をＬＥＤユニット２を単位としてＬＥＤユニットを直列接続した表示データの送信順序に変換し、上中下の各表示段に表示データを送出する（ＳＴ１０２）。
【００４６】
次に、前記と同様にＬＥＤユニットのシフトレジスタ３に記憶された表示データは、最終端のシフトレジスタ３から監視用データとして制御部４に返送された表示データと比較照合される（ＳＴ１０３）。
【００４７】
そして、比較照合によって故障した表示段が無い場合（ＳＴ１０４の「無」側）には、ＳＴ１０５に移行し、シフトレジスタに記憶した表示データを各ＬＥＤユニット２で表示し、処理を終了する。
【００４８】
一方、故障有りと判定された場合には、ＬＥＤユニットの故障を通知し（ＳＴ１０６）、ＳＴ１０７に移行し、故障した表示段の段数を判定する。
そして、故障した表示段が複数段を有する装置の中で１段である場合（ＳＴ１０７のＹ側）には、本実施の形態の主たる目的である優先度の高い表示を優先して表示するところの次の処理を実行する。
【００４９】
初めに、優先度の高い項目を表示する下段の表示段の故障か否かを判定する（ＳＴ１０８）。そして、故障した表示段が下段である場合（ＳＴ１０８のＹ側）には、表示可能な表示段を記憶するとともにＳＴ１０９に移行する。
【００５０】
次に、ＳＴ１０９において下段用の表示データを読み出して上段のＬＥＤユニット２に、又、上段用の表示データを制御部から読み出して中段のＬＥＤユニット２に送出し、次のＳＴ１１０で１秒が経過するまで（ＳＴ１１１）、図８（ａ）の左側の表示を行う。
【００５１】
そして、同様の処理を下段用と中段用の表示データについて実行し（ＳＴ１１２〜ＳＴ１１４）、図８（ａ）の右側に示す表示を行い、以下、ＳＴ１０９に戻りＳＴ１０９〜ＳＴ１１４の処理を繰り返し、図８（ａ）に示す交互表示を実行する。
【００５２】
次に、故障した表示段が優先度の低い上段の場合（ＳＴ１１５のＹ側）には、前記の実施の形態と同様に、故障していない中段のＬＥＤユニットに最初に上段用の表示データを、下段のＬＥＤユニットに下段用の表示データを読み出して送出し（ＳＴ１１６）、図８（ｂ）の左側の表示を、一定時間（１秒）経過するまで行う（ＳＴ１１７、１１８）。
【００５３】
同様にして、中段のＬＥＤユニットに中段用の表示データを、下段のＬＥＤユニットに下段用の表示データを読み出して送出し（ＳＴ１１９）、図８（ｂ）の右側の表示を、一定時間（１秒）経過するまで行う（ＳＴ１２０、１２１）。以下、ＳＴ１１６に戻り、ＳＴ１１６〜ＳＴ１２１を繰り返し、図８（ｂ）に示す交互表示を実行する。
これによって、優先度の高い下段は下段用の表示データの連続した表示が、低い中段では上段用と中段用の表示データの交互表示が実行される。
【００５４】
また、故障した表示段が同じく優先度の低い中段の場合も上記した上段が故障した場合と同様で、ＳＴ１２２〜ＳＴ１２７において上段には上段用と中段用の表示データが送出し表示され、下段のＬＥＤユニットに対しては下段用の表示データが送出し表示され、図８（ｃ）に示す交互表示が実行される。
【００５５】
次に、複数の表示段が同時に故障した場合について説明する。前記ＳＴ１０７において、故障した表示段が１段でない場合（ＳＴ１０７のＮ側）には、ＳＴ１２８に移行し故障した段数が２段か否かの判定を行う。
【００５６】
そして、２段でない、すなわち３段全てが故障した場合（ＳＴ１２８のＮ側）には、情報表示板が表示不能になったことの警告を所定の方法で発信（ＳＴ１２９）した後、処理を終了する。
【００５７】
一方、表示段が２段故障した場合（ＳＴ１２８のＹ側）には、表示可能な表示段を記憶するとともに、最初に下段用の表示データを制御部から読み出して、故障していない表示段のＬＥＤユニットに送出し、一定時間（例えば２秒）経過するまで表示を行う（ＳＴ１３１、１３２）。
【００５８】
次に、上段用と中段用の表示データを読み出して、故障していない表示段のＬＥＤユニットに送出し、各々一定時間（例えば１秒）が経過する表示を行う。ステップＳＴ１３０〜ＳＴ１３８の処理を繰り返すことで、図８（ｄ）に示す交互表示を実行する。
【００５９】
なお、第２の実施形態において、優先度の高い下段が故障した場合にのみその表示位置を上段に変更する方法を例示したが、上段や中段が故障した場合においても下段用の表示データの表示位置を変更して、上段または中段で表示するようにしてもよい。
【００６０】
また、上記においては、表示段が３段までの表示方法について説明したが、表示段が３段以上においても本願の方法を利用することが可能である。
【００６１】
【発明の効果】
以上説明したように、本発明に係る情報表示装置における故障検知時の表示方法によれば、情報表示板の表示ユニットに故障が発生しても、故障した表示段の表示内容を故障していない他の表示段に転送して交互に表示し、故障発生中においても全ての情報を中断することなく継続して表示することができる。このため、故障発生時においても、表示情報をドライバーなどに正確に伝えることが可能となり、道路管理上の安全性を向上させることができる。
【００６２】
また、複数段の表示段を有する表示板の一部が故障した場合でも、優先度の高い表示段の表示項目を連続して表示するようにしたため、重要な表示項目を見逃すことがないといった効果を有する。
【００６３】
さらに、一部に故障が発生しても、直ちに修理を行なう必要がなくなるため、常に保守要員を待機させておく必要がなくなり、人件費や管理労力を軽減することができる等の効果を有するものである。
【図面の簡単な説明】
【図１】本発明方法を適用して構成した情報表示装置の一実施の形態を示すブロック図である。
【図２】実施の形態に係る情報表示装置の動作を示すフローチャートである。
【図３】（ａ）（ｂ）は情報表示板の下段側に故障が発生した場合の表示状態の例を示す図である。
【図４】（ａ）（ｂ）は情報表示板の上段側に故障が発生した場合の表示状態の例を示す図である。
【図５】３段の表示段を持つ情報表示板の説明図である。
【図６】別の実施の形態に係る情報表示装置の動作を示すフローチャートである。
【図７】図６の続きを示すフローチャートである。
【図８】（ａ）（ｂ）（ｃ）は情報表示板の１つの表示段が故障した場合、（ｄ）は２つの表示段が故障した場合の表示状態の例を示す図である。
【図９】（ａ）（ｂ）（ｃ）は従来の情報表示装置における故障が発生した場合の表示状態の例を示す図である。
【符号の説明】
１    情報表示板
２    ＬＥＤユニット（表示ユニット）
３    シフトレジスタ
４    制御部
【図１】
0004685225.tif 000002
【図２】
0004685225.tif 000003
【図３】
0004685225.tif 000004
【図４】
0004685225.tif 000005
【図５】
0004685225.tif 000006
【図６】
0004685225.tif 000007
【図７】
0004685225.tif 000008
【図８】
0004685225.tif 000009
【図９】
0004685225.tif 000010